【手続補正書】
【提出日】平成23年4月14日(2011.4.14)
【手続補正１】
【補正対象書類名】特許請求の範囲
【補正対象項目名】全文
【補正方法】変更
【補正の内容】
【特許請求の範囲】
【請求項１】
遊技機に対応して設けられ、少なくとも対応する前記遊技機の遊技情報を表示可能な複数の表示端末と、該複数の表示端末のそれぞれとデータ通信可能に接続された配信用コンピュータと、から構成される遊技用表示装置であって、
前記表示端末は、該表示端末の動作制御を行う制御手段と、前記制御手段が実施する処理内容が記述された処理プログラムを書き換え可能に記憶する不揮発性メモリから成る記憶手段と、前記配信用コンピュータとの通信を行うデータ通信手段と、を具備し、
前記制御手段は、前記配信用コンピュータからの指示に基づき、前記記憶手段に記憶されている前記処理プログラムを、新たな処理プログラムに書き換える制御を実施することを特徴とする遊技用表示装置。
【請求項２】
前記配信用コンピュータにおいて、前記書き換えの実施単位を表示端末単位毎または前記表示端末が設置されている遊技島単位毎に指定可能とされている請求項１に記載の遊技用表示装置。
【請求項３】
前記配信用コンピュータは、該配信用コンピュータに登録されている処理プログラムと、前記表示端末に記憶されている処理プログラムとが異なる場合において、前記登録されている処理プログラムへの書き換えを指示する請求項１または２に記載の遊技用表示装置。
【請求項４】
前記制御手段は、前記処理プログラムの書き換え時において、前記遊技情報を表示可能な表示画面の表示状態を、書き換えの各状態に応じて予め定められた表示状態とする制御、または書き換えの各状態に応じて予め定められた所定データを前記通信手段を介して前記配信用コンピュータに出力する制御のいずれか一方を実施する請求項１〜３のいずれかに記載の遊技用表示装置。
【請求項５】
前記制御手段は、前記書き換え制御の完了後において、書き換えられた新たな処理プログラムの改定情報を表示または出力する制御を実施する請求項４に記載の遊技用表示装置。
【手続補正２】
【補正対象書類名】明細書
【補正対象項目名】０００７
【補正方法】変更
【補正の内容】
【０００７】
前記した問題を解決するために、本発明の遊技用表示装置は、
遊技機に対応して設けられ、少なくとも対応する前記遊技機の遊技情報を表示可能な複数の表示端末と、該複数の表示端末のそれぞれとデータ通信可能に接続された配信用コンピュータと、から構成される遊技用表示装置であって、
前記表示端末は、該表示端末の動作制御を行う制御手段と、前記制御手段が実施する処理内容が記述された処理プログラムを書き換え可能に記憶する不揮発性メモリから成る記憶手段と、前記配信用コンピュータとの通信を行うデータ通信手段と、を具備し、
前記制御手段は、前記配信用コンピュータからの指示に基づき、前記記憶手段に記憶されている前記処理プログラムを、新たな処理プログラムに書き換える制御を実施することを特徴としている。
この特徴によれば、処理プログラムの更新を、メモリ等を取り外して書き換える等にて実施するような必要がなく、迅速かつ簡便に実施することができるとともに、これら処理プログラムの更新を、配信用コンピュータにおいて集中的に実施することができる。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
本発明の遊技用表示装置は、前記配信用コンピュータにおいて、前記書き換えの実施単位を表示端末単位毎または前記表示端末が設置されている遊技島単位毎に指定可能とされていることを特徴としている。
この特徴によれば、処理プログラムの更新処理を表示端末単位毎または遊技島単位毎で実施することができ、これら更新処理における操作性を向上できる。
【手続補正９】
【補正対象書類名】明細書
【補正対象項目名】００１４
【補正方法】変更
【補正の内容】
【００１４】
本発明の遊技用表示装置は、前記配信用コンピュータは、該配信用コンピュータに登録されている処理プログラムと、前記表示端末に記憶されている処理プログラムとが異なる場合において、前記登録されている処理プログラムへの書き換えを指示することを特徴としている。
この特徴によれば、例えば設置時等において誤って異なる改定版の処理プログラムが記憶された表示端末を設置したり、不測の事態により表示端末において処理プログラム並びにその改定情報が損傷したとしても、表示端末にて実行させたい所望の処理プログラムを前記配信用コンピュータに登録しておくことで、自動的に前記配信用コンピュータに登録された処理プログラムへの更新が実施されるようになる。
【手続補正１０】
【補正対象書類名】明細書
【補正対象項目名】００１５
【補正方法】変更
【補正の内容】
【００１５】
本発明の遊技用表示装置は、前記制御手段は、前記処理プログラムの書き換え時において、前記遊技情報を表示可能な表示画面の表示状態を、書き換えの各状態に応じて予め定められた表示状態とする制御、または書き換えの各状態に応じて予め定められた所定データを前記通信手段を介して前記配信用コンピュータに出力する制御のいずれか一方を実施することを特徴としている。
この特徴によれば、書き換えにおける進行状況がどの段階にあるのかや、通信手段の不具合の有無等を表示画面の表示状態や出力される所定データにより確認することが可能となる。
【手続補正１１】
【補正対象書類名】明細書
【補正対象項目名】０１４０
【補正方法】変更
【補正の内容】
【０１４０】
本発明の請求項１は、遊技機（パチンコ機２）に対応して設けられ、少なくとも対応する前記遊技機（パチンコ機２）の遊技情報（大当り回数、スタート回数）を表示可能な複数の表示端末と、該複数の表示端末のそれぞれとデータ通信可能に接続された配信用コンピュータと、から構成される遊技用表示装置であって、
前記表示端末は、該表示端末の動作制御を行う制御手段（制御マイコン７９）と、前記制御手段（制御マイコン７９）が実施する処理内容が記述された処理プログラムを書き換え可能に記憶する不揮発性メモリから成る記憶手段（ＥＥＰＲＯＭ７６）と、前記配信用コンピュータとの通信を行うデータ通信手段と、を具備し、
前記制御手段（制御マイコン７９）は、前記配信用コンピュータからの指示に基づき、前記記憶手段に記憶されている前記処理プログラムを、新たな処理プログラムに書き換える制御を実施する。
【手続補正１２】
【補正対象書類名】明細書
【補正対象項目名】０１４１
【補正方法】削除
【補正の内容】
【手続補正１３】
【補正対象書類名】明細書
【補正対象項目名】０１４２
【補正方法】削除
【補正の内容】
【手続補正１４】
【補正対象書類名】明細書
【補正対象項目名】０１４３
【補正方法】削除
【補正の内容】
【手続補正１５】
【補正対象書類名】明細書
【補正対象項目名】０１４４
【補正方法】削除
【補正の内容】
【手続補正１６】
【補正対象書類名】明細書
【補正対象項目名】０１４５
【補正方法】削除
【補正の内容】
【手続補正１７】
【補正対象書類名】明細書
【補正対象項目名】０１４６
【補正方法】変更
【補正の内容】
【０１４６】
また、本発明の遊技用表示装置は、前記配信用コンピュータ４９において、前記書き換えの実施単位を表示端末（制御ユニット１００）単位毎または前記表示端末が設置されている遊技島（遊技島１）単位毎に指定可能とされている。
【手続補正１８】
【補正対象書類名】明細書
【補正対象項目名】０１４７
【補正方法】変更
【補正の内容】
【０１４７】
また、本発明の遊技用表示装置は、前記配信用コンピュータ４９は、該配信用コンピュータ４９に登録されている処理プログラムと、前記表示端末（制御ユニット１００）に記憶されている処理プログラムとが異なる場合において、前記登録されている処理プログラムへの書き換えを指示する。
【手続補正１９】
【補正対象書類名】明細書
【補正対象項目名】０１４８
【補正方法】変更
【補正の内容】
【０１４８】
また、本発明の遊技用表示装置は、前記制御手段（制御マイコン７９）は、前記処理プログラムの書き換え時において、前記遊技情報を表示可能な表示画面６６の表示状態を、書き換えの各状態に応じて予め定められた表示状態（「ＯＫ」，「ＥＲ」，「←」等の表示）とする制御、または書き換えの各状態に応じて予め定められた所定データ（「ＯＫ」，「ＥＲ」，「転送中」を示すデータ等）を前記通信手段（通信部７３）を介して前記配信用コンピュータ４９に出力する制御のいずれか一方を実施する。